(57)【要約】【課題】  防滴性の高いソーラー式ランタンを提供すること。【解決手段】  ランタン本体と電気的に接続されるソーラーパネルを含むソーラー部が最上部にあり、電動工具バッテリから電源供給され光る光源を含む反射鏡部が二段目にあり、ソーラーパネルから発電された電力を電動工具用バッテリへ充電することができる充電部が三段目にあり、充電部及び電動工具用バッテリを保護するカバーが最下部にある。【選択図】  図２
2013211168.tif 000002
【特許請求の範囲】
【請求項１】
ソーラーパネルが設けられ、ソーラーパネルにより発電された電力をランタン本体内部に搭載される充電部を介し電動工具用バッテリに蓄電し、且つ光源を有しスイッチにより操作できる携帯用ランタンにおいて、前記ランタン本体と電気的に接続されるソーラーパネルを含むソーラー部が最上部にあり、前記電動工具バッテリから電源供給され光る光源を含む反射鏡部が二段目にあり、前記ソーラーパネルから発電された電力を電動工具用バッテリへ充電することができる充電部が三段目にあり、前記充電部及び電動工具用バッテリを保護するカバーが最下部にあることを特徴とする携帯用ランタン。
【請求項２】
前記電動工具用バッテリを搭載することができ、該バッテリを着脱する為に本体を上下逆にして前記カバーを開放し、前記カバー開放時にラッチを露出することを特徴とする請求項1記載の携帯用ランタン。
【請求項３】
側面にて、幅方向に該ソーラー部が幅広、該反射鏡部は幅狭、該充電部及び該カバー上部は幅広、該カバー下部は幅狭とすることで上から幅方向が大小大小という構成をなすことを特徴とする請求項1または2記載の携帯用ランタン。
【請求項４】
該充電部及び該カバー上部は該バッテリーを内包し排出風窓を下方向に向け設置していることを特徴とする請求項1から請求項3のいずれかに記載の携帯用ランタン。
【請求項５】
該カバー底面に、下方に向けた吸入風窓を配置し、且つ20ｍｍ以上の足を四本配置することを特徴とする請求項1から請求項4のいずれかに記載の携帯用ランタン。
【請求項６】
前記ソーラーパネルはソーラーカバーを該ソーラーパネルの下方まで延設したラビリンス構造を備え、該ソーラー部上面に排水路を設けてあることを特徴とする請求項1から請求項5のいずれかに記載の携帯用ランタン。
【請求項７】
前記ソーラー部底面にスイッチ部を備えたことを特徴とする請求項1から請求項6のいずれかに記載の携帯用ランタン。
【発明の詳細な説明】
【技術分野】
【０００１】
本発明は、ソーラーパネルと充電池を備えるランタンに関する
【背景技術】
【０００２】
従来ソーラー式ランタンは、自立可能で一般的な範囲を照らすことが可能なランタンであり、ランタン部より上部の太陽に照射されやすい位置にソーラーパネルが装着されており、当該ソーラーパネルに太陽光線が照射されることで電力を発生する携帯可能な光源である。
従来ソーラー式ランタンは、ソーラーパネルで発生させた電力を蓄電するために充電部を設けており、日中日向に置いて太陽の光を受け電力を発生し、蓄電池に充電をし、夜間に使用する。家庭やその他の場所において電力が供給停止になった場合、いつでも充電されているので照明が利用できない場合の予備電源として利用される。
ソーラー式ランタンは太陽の光を最大限に受けるため屋外で使用されることが好ましいが、使用される場所は使用者の状況による為特定することが出来ず、芝生や砂利の上での使用や、充電時に屋外に出しっぱなしによる突然の雨など、使用状況は過酷である。しかし、ランタンとして使用される環境は室内屋外を問わない。
【先行技術文献】
【特許文献】
【０００３】
【特許文献１】特開２００９−１６１８０号公報
【発明の概要】
【発明が解決しようとする課題】
【０００４】
このようにソーラー式ランタンは、通常使用される目的に対しては好適なものだが、電力が供給停止になる確率は低く、毎日日向に置いて充電をし続けることを有効活用する必要がある。
本発明はソーラーパネルで発生した電力を有効活用するために、電動工具用バッテリに充電させることを目的とし、週末に電動工具を使える様にする為、一週間で14.4V、1.5Ahの電動工具用バッテリを満充電にする必要がある。且つ電動工具用バッテリを簡単に脱着できる必要がある。
電動工具用バッテリを充電するために大面積のソーラーパネルを搭載しなくてはならなく、それを搭載した際、芝生等不安定な場所に置いても安定し、且つテーブルにも置けるコンパクト感を有する構成である必要がある。
電動工具用バッテリを充電する為、充電部を設けなければならないが、使用環境が屋外の場合も多く考えられる為、防滴防塵性が高く、さらに充電部を冷やす空冷機能を有し、加えて配線を露出させない構成にしなければならない。
ソーラー式ランタンは太陽の光を最大限に受けるため屋外で使用されることが好ましい為、雨水が侵入しやすいソーラーカバーやスイッチ部に高い防滴性能が必要である。
【課題を解決するための手段】
【０００５】
上記目的を達成するために、本発明では、ソーラーパネルが設けられ、ソーラーパネルにより発電された電力をランタン本体内部に搭載される充電部を介し電動工具用バッテリに蓄電し、且つ光源を有しスイッチにより操作できる携帯用ランタンにおいて、前記ランタン本体と電気的に接続されるソーラーパネルを含むソーラー部が最上部にあり、前記電動工具バッテリから電源供給され光る光源を含む反射鏡部が二段目にあり、前記ソーラーパネルから発電された電力を電動工具用バッテリを含む電動工具用バッテリへ充電することができる充電部が三段目にあり、前記充電部及び電動工具用バッテリを保護するカバーが最下部にあることを特徴としている。
【発明の効果】
【０００６】
本発明の携帯用ランタンによれば、ソーラーパネルが最上部に備え、光源を含む反射鏡部が二段目、電動工具用バッテリを含む充電部が三段目、充電部のカバーが最下部に備えている。したがって、太陽光を大面積に照射することができ、上方に反射鏡部があることで光源を該反射鏡に当てることで遠くまで光を運ぶことができ、その下に重い電動工具用バッテリを含む充電部があることで安定感を増大し、且つ配線を露出させなくすることができ、最下部に該カバーにより防滴防塵効果を可能とする。また、該充電部及び該カバー上部は該バッテリを内包し幅大にすることで、排出風窓を下方向に設置することができ、防滴防塵用としての効果が向上する。
本発明の携帯用ランタンによれば、該カバー底面に下方に向けた吸入風窓を配置したことで、雨水などからの防滴性を高めると共に、20ｍｍ以上の足を設けたことで芝生等で該吸入風窓を塞がれずに安定した充電放電を行うことができる。
本発明の携帯用ランタンによれば、前記ソーラーパネルは最上部にあり雨水の影響を受けやすいが、ソーラーカバーを該ソーラーパネルの下方まで延設したラビリンス構造により、雨水の侵入を防ぐことを可能としている。また、該ソーラー部上面にある排水路により該ソーラーパネル上面に雨水が溜まらないことを可能としており、雨上がり等でも充電効率を下げることなく使用することを可能としている。
本発明の携帯用ランタンによれば、前記ソーラー部底面にスイッチ部を備えたことで、雨水の影響をじかに受けず、防滴性を高めることでスイッチのショートなどの故障を防ぐことが可能になった。
【図面の簡単な説明】
【０００７】
【図１】本発明の実施の形態に係る携帯用ランタンを示す斜視図。
【図２】本発明の実施の形態に係る携帯用ランタンの要部断面図。
【図３】本発明の実施の形態に係る携帯用ランタンのカバー開放時の斜視図。
【図４】本発明の実施の形態に係る携帯用ランタンの電気回路図。
【発明を実施するための形態】
【０００８】
本発明の携帯用ランタンは、ソーラーパネル１が設けられ、ソーラーパネル1により発電された電力をランタン本体内部に搭載される電動工具用バッテリ2に蓄電し、且つ光源17を有しスイッチ5により操作できる携帯用ランタンにおいて、ソーラーパネル1を含むソーラー部6が最上部、光源17を含む反射鏡部7が二段目、電動工具用バッテリ2を含む充電部3が三段目、充電部のカバー8が最下部にある。
本発明の携帯用ランタンは、前記電動工具用バッテリ2を搭載することができ、該バッテリ2を着脱する為に本体を上下逆にして該カバー8を開放し行うが、カバー開放時にバッテリラッチ9が露出するようになっている。
本発明の携帯用ランタンは、正面から見て、幅方向10に該ソーラー部6が幅大、該反射鏡部7はコンパクトに幅小、該充電部3及び該カバー8上部は該バッテリ2を内包し幅大、該カバー8下部は排出風窓12の段差分幅小とすることで上方から幅方向が大小大小という凹凸形状となっている。
本発明の携帯用ランタンは、該充電部3及び該カバー8上部は該バッテリー2を内包し排出風窓12を下方向に向け設置している。
本発明の携帯用ランタンは、該カバー8底面に、下方に向けた吸入風窓13が配置され、且つ20ｍｍ高以上の足14が配置されている。
本発明の携帯用ランタンは、前記ソーラーパネル1はソーラーカバー4を該ソーラーパネル1の下方まで延設したラビリンス構造16を備え、該ソーラー部6上面に排水路15を設けてある。
本発明の携帯用ランタンは、前記ソーラー部6底面にスイッチ部5を備えている。
【符号の説明】
【０００９】
1…ソーラーパネル、2…電動工具用バッテリ、3…充電部、4…ソーラーカバー、5…スイッチ、6…ソーラー部、7…反射鏡部、8…カバー、9…バッテリラッチ、10…幅広方向、12…排出風窓、13…吸入風窓、14…足部、15…排水路、16…ラビリンス構造、17…光源
【図１】
2013211168.tif 000003
【図２】
2013211168.tif 000004
【図３】
2013211168.tif 000005
【図４】
2013211168.tif 000006